【手続補正書】
【提出日】平成28年6月30日(2016.6.30)
【手続補正１】
【補正対象書類名】特許請求の範囲
【補正対象項目名】全文
【補正方法】変更
【補正の内容】
【特許請求の範囲】
【請求項１】
第１の導波路を内部に保持する第１の保持部材と、
第２の導波路を内部に保持する第２の保持部材と、
前記第１の導波路と前記第２の導波路とに光学的に結合する交換導波路を有し、前記交換導波路が前記第１の導波路と前記第２の導波路との間に介在し前記第１の導波路と前記第２の導波路とに光学的に結合するように、前記第１の保持部材と前記第２の保持部材との間に介在し、交換可能な交換部材と、
前記交換部材が前記第１の保持部材と前記第２の保持部材との少なくとも一方に取り付けられるように、前記交換部材を、前記交換部材が取り付けられる側に向かって押圧する取付部材と、
前記交換導波路が前記第１の導波路と前記第２の導波路とに光学的に結合するように、前記第１の保持部材と前記第２の保持部材と前記交換部材とを互いに位置決めする位置決め機構と、
を具備することを特徴とする内視鏡用光コネクタ。
【請求項２】
前記位置決め機構は、前記第１の保持部材側に配設され、前記第１の保持部材から突出する、または前記第１の保持部材に取り付けられている前記交換部材から突出する突出部を有し、
前記第１の保持部材側が前記第２の保持部材側に差し込まれるように、前記突出部は、前記第２の保持部材、または前記第２の保持部材に取り付けられている前記交換部材に挿入されることを特徴とする請求項１に記載の内視鏡用光コネクタ。
【請求項３】
前記交換部材の端面が前記交換導波路の端面と同一平面上に配設され、前記交換部材の前記端面と前記交換導波路の前記端面とが平滑されるように、前記交換部材が前記交換導波路を保持した状態で、前記交換部材の前記端面は前記交換導波路の前記端面と共に研磨可能となっていることを特徴とする請求項２に記載の内視鏡用光コネクタ。
【請求項４】
前記交換部材は、前記第１の保持部材と前記第２の保持部材との両方に取り付けられ、
前記第１の保持部材に取り付けられる第１の交換部材の長さは、前記第２の保持部材に取り付けられる第２の交換部材の長さよりも短く、
前記位置決め機構は、前記第１の導波路が前記第１の交換部材の第１の交換導波路と光学的に結合し、前記第２の導波路が前記第２の交換部材の第２の交換導波路と光学的に結合し、前記第１の交換導波路が前記第２の交換導波路と光学的に結合するように、前記第１の保持部材と前記第２の保持部材と前記第１の交換部材と前記第２の交換部材とを互いに位置決めし、
前記位置決め機構は、
前記第１の保持部材に配設されている第１の保持側挿入口部と、
前記第１の交換部材に配設されている第１の交換側挿入口部と、
前記第２の保持部材に配設されている第２の保持側挿入口部と、
前記第２の交換部材に配設されている第２の交換側挿入口部と、
前記第１の導波路が前記第１の交換導波路と光学的に結合している状態で、前記第１の交換導波路が前記第２の交換導波路と光学的に非結合する際、前記突出部として機能する第１の位置決め部材の先端部が前記第１の保持側挿入口部を介して前記第１の交換側挿入口部を貫通するように、前記第１の保持側挿入口部と前記第１の交換側挿入口部とに係合しており、前記第１の導波路が前記第１の交換導波路と光学的に結合している状態で、前記第１の交換導波路が前記第２の交換導波路と光学的に結合する際、前記第１の交換側挿入口部を貫通している前記先端部が前記第２の交換側挿入口部に挿入されるように、前記第１の保持側挿入口部と前記第１の交換側挿入口部と前記第２の交換側挿入口部とに係合する第１の位置決め部材と、
前記第２の導波路が前記第２の交換導波路と光学的に結合するように、前記第２の保持側挿入口部と前記第２の交換側挿入口部とに係合する第２の位置決め部材と、
を有することを特徴とする請求項３に記載の内視鏡用光コネクタ。
【請求項５】
前記第１の交換側挿入口部の長さをＴｍと称し、  
前記第１の保持側挿入口部から突出する前記突出部として機能する前記第１の位置決め部材の前記先端部の長さをＬｍと称し、  
前記第２の交換側挿入口部の長さをＴｆと称し、  
前記第２の保持側挿入口部から突出する前記第２の位置決め部材の突出部の長さをＬｆと称すると、
前記位置決め機構が前記第１の保持部材と前記第２の保持部材と前記第１の交換部材と前記第２の交換部材とを互いに位置決めする際、
Ｔｆ＞Ｌｆ＋Ｌｍ−Ｔｍ  と、
Ｌｍ＞Ｔｍ  と、
が成り立つことを特徴とする請求項４に記載の内視鏡用光コネクタ。
【請求項６】
前記交換部材は、前記第１の保持部材と前記第２の保持部材との両方に取り付けられ、
前記第１の保持部材に取り付けられる第１の交換部材の長さは、前記第２の保持部材に取り付けられる第２の交換部材の長さよりも短く、
前記位置決め機構は、前記第１の導波路が前記第１の交換部材の第１の交換導波路と光学的に結合し、前記第２の導波路が前記第２の交換部材の第２の交換導波路と光学的に結合し、前記第１の交換導波路が前記第２の交換導波路と光学的に結合するように、前記第１の保持部材と前記第２の保持部材と前記第１の交換部材と前記第２の交換部材とを互いに位置決めし、
前記位置決め機構は、
前記第１の保持部材に配設されている第１の保持側挿入口部と、
前記第１の交換部材に配設されている第１の交換側挿入口部と、
前記第２の保持部材に配設されている第２の保持側挿入口部と、
前記第２の交換部材に配設されている第２の交換側挿入口部と、
前記第１の導波路が前記第１の交換導波路と光学的に結合している状態で、前記第１の交換導波路が前記第２の交換導波路と光学的に非結合する際、前記突出部として機能する第１の位置決め部材の先端部が前記第１の保持側挿入口部を介して前記第１の交換側挿入口部を貫通するように、前記第１の保持側挿入口部と前記第１の交換側挿入口部とに係合しており、前記第１の導波路が前記第１の交換導波路と光学的に結合している状態で、前記第１の交換導波路が前記第２の交換導波路と光学的に結合し、前記第２の交換導波路が前記第２の導波路と光学的に結合する際、前記第１の交換側挿入口部を貫通している前記先端部が前記第２の交換側挿入口部を介して前記第２の保持側挿入口部に挿入されるように、前記第１の保持側挿入口部と前記第１の交換側挿入口部と前記第２の保持側挿入口部と前記第２の交換側挿入口部とに係合する第１の位置決め部材と、
を有することを特徴とする請求項３に記載の内視鏡用光コネクタ。
【請求項７】
前記第１の交換側挿入口部の長さをＴｍと称し、  
前記第１の保持側挿入口部から突出する前記突出部として機能する前記第１の位置決め部材の前記先端部の長さをＬｍと称し、  
前記第２の交換側挿入口部の長さをＴｆと称すると、  
前記位置決め機構が前記第１の保持部材と前記第２の保持部材と前記第１の交換部材と前記第２の交換部材とを互いに位置決めする際、
Ｌｍ＞Ｔｆ＋Ｔｍ  と、
Ｌｍ＞Ｔｍ  と、
が成り立つことを特徴とする請求項６に記載の内視鏡用光コネクタ。
【請求項８】
前記交換部材は、前記第１の保持部材に取り付けられ、
前記位置決め機構は、前記第１の導波路が前記交換部材の前記交換導波路と光学的に結合し、前記第２の導波路が前記交換部材の前記交換導波路と光学的に結合するように、前記第１の保持部材と前記第２の保持部材と前記交換部材とを互いに位置決めし、
前記位置決め機構は、
前記第１の保持部材に配設されている第１の保持側挿入口部と、
前記交換部材に配設されている交換側挿入口部と、
前記第２の保持部材に配設されている第２の保持側挿入口部と、
前記第１の導波路が前記交換導波路と光学的に結合している状態で、前記第２の導波路が前記交換導波路と光学的に非結合する際、前記突出部として機能する第１の位置決め部材の先端部が前記第１の保持側挿入口部を介して前記交換側挿入口部を貫通するように、前記第１の保持側挿入口部と前記交換側挿入口部とに係合しており、前記第１の導波路が前記交換導波路と光学的に結合している状態で、前記第２の導波路が前記交換導波路と光学的に結合する際、前記交換側挿入口部を貫通している前記先端部が前記第２の保持側挿入口部に挿入されるように、前記第１の保持側挿入口部と前記交換側挿入口部と前記第２の保持側挿入口部とに係合する第１の位置決め部材と、
を有することを特徴とする請求項３に記載の内視鏡用光コネクタ。
【請求項９】
前記交換側挿入口部の長さをＴｍと称し、  
前記第１の保持側挿入口部から突出する前記突出部として機能する前記第１の位置決め部材の前記先端部の長さをＬｍと称すると、  
前記位置決め機構が前記第１の保持部材と前記第２の保持部材と前記交換部材とを互いに位置決めする際、
Ｌｍ＞Ｔｍが成り立つことを特徴とする請求項８に記載の内視鏡用光コネクタ。
【請求項１０】
前記交換部材は、前記第２の保持部材に取り付けられ、
前記位置決め機構は、前記第１の導波路が前記交換部材の前記交換導波路と光学的に結合し、前記第２の導波路が前記交換部材の前記交換導波路と光学的に結合するように、前記第１の保持部材と前記第２の保持部材と前記交換部材とを互いに位置決めし、
前記位置決め機構は、
前記第１の保持部材に配設されている第１の保持側挿入口部と、
前記第２の保持部材に配設されている第２の保持側挿入口部と、
前記交換部材に配設されている交換側挿入口部と、
前記第１の導波路が前記交換導波路と光学的に非結合する際、前記突出部として機能する第１の位置決め部材の先端部が前記第１の保持側挿入口部を貫通するように、前記第１の保持側挿入口部に係合しており、前記第１の導波路が前記交換導波路と光学的に結合し、前記交換導波路が前記第２の導波路と光学的に結合する際、前記第１の保持側挿入口部を貫通している前記先端部が前記交換側挿入口部を介して前記第２の保持側挿入口部に挿入されるように、前記第１の保持側挿入口部と前記交換側挿入口部と前記第２の保持側挿入口部とに係合する第１の位置決め部材と、
を有することを特徴とする請求項３に記載の内視鏡用光コネクタ。
【請求項１１】
前記第１の保持側挿入口部から突出する前記突出部として機能する前記第１の位置決め部材の前記先端部の長さをＬｍと称し、  
交換側挿入口部の長さをＴｆと称すると、  
前記位置決め機構が前記第１の保持部材と前記第２の保持部材と前記交換部材とを互いに位置決めする際、
Ｌｍ＞Ｔｆが成り立つことを特徴とする請求項１０に記載の内視鏡用光コネクタ。
【請求項１２】
前記交換部材は、前記第２の保持部材に取り付けられ、
前記位置決め機構は、前記第１の導波路が前記交換部材の前記交換導波路と光学的に結合し、前記第２の導波路が前記交換部材の前記交換導波路と光学的に結合するように、前記第１の保持部材と前記第２の保持部材と前記交換部材とを互いに位置決めし、
前記位置決め機構は、
前記第１の保持部材に配設されている第１の保持側挿入口部と、
前記第２の保持部材に配設されている第２の保持側挿入口部と、
前記交換部材に配設されている交換側挿入口部と、
前記第１の導波路が前記交換導波路と光学的に非結合する際、前記突出部として機能する第１の位置決め部材の先端部が前記第１の保持側挿入口部を貫通するように、前記第１の保持側挿入口部に係合しており、前記第２の導波路が前記交換導波路と光学的に結合している状態で、前記第１の導波路が前記交換導波路と光学的に結合する際、前記第１の保持側挿入口部を貫通している前記先端部が前記交換側挿入口部に挿入されるように、前記第１の保持側挿入口部と前記交換側挿入口部とに係合する前記第１の位置決め部材と、
前記第２の導波路が前記交換導波路と光学的に結合するように、前記第２の保持側挿入口部と前記交換側挿入口部とに係合する第２の位置決め部材と、
を有することを特徴とする請求項３に記載の内視鏡用光コネクタ。
【請求項１３】
前記第１の保持側挿入口部から突出する前記突出部として機能する前記第１の位置決め部材の前記先端部の長さをＬｍと称し、  
交換側挿入口部の長さをＴｆと称し、  
前記第２の保持側挿入口部から突出する前記第２の位置決め部材の突出部の長さをＬｆと称すると、
前記位置決め機構が前記第１の保持部材と前記第２の保持部材と前記交換部材とを互いに位置決めする際、
Ｔｆ＞Ｌｆ＋Ｌｍ  と、
Ｌｍ＜Ｔｆ  と、
が成り立つことを特徴とする請求項１２に記載の内視鏡用光コネクタ。
【請求項１４】
前記交換部材は、前記交換部材の周面に形成され、前記取付部材の先端部が引っかかる引っ掛かり部を有することを特徴とする請求項１乃至請求項１３のいずれかに記載の内視鏡用光コネクタ。
【請求項１５】
前記引っ掛かり部は、前記交換導波路を中心に、点対称に配設されていることを特徴とする請求項１４に記載の内視鏡用光コネクタ。
【請求項１６】
前記引っ掛かり部は、溝部と突起部とのいずれか一方を有することを特徴とする請求項１５に記載の内視鏡用光コネクタ。
【請求項１７】
前記交換導波路は、光ファイバとテーパファイバとレンズとのいずれかを有することを特徴とする請求項１乃至請求項１６のいずれかに記載の内視鏡用光コネクタ。
【請求項１８】
前記取付部材は、前記取付部材の先端部に配設されており、前記交換部材に引っ掛かり、引っ掛かった際に、前記交換部材を、前記交換部材が取り付けられる側に向かって押圧する爪部を有することを特徴とする請求項１乃至請求項１７のいずれかに記載の内視鏡用光コネクタ。
【請求項１９】
前記爪部は、板バネ部を有することを特徴とする請求項１８に記載の内視鏡用光コネクタ。
【請求項２０】
前記取付部材は、前記交換部材が取り付けられる側に配設される導波路を中心に点対称に配設されるように、取り付けられる側に配設されていることを特徴とする請求項１乃至請求項１９のいずれかに記載の内視鏡用光コネクタ。
【請求項２１】
前記取付部材は、前記交換部材が取り付けられる側の周面に固定されている基端部を有することを特徴とする請求項１乃至請求項２０のいずれかに記載の内視鏡用光コネクタ。
【請求項２２】
前記交換導波路は、複数配設されていることを特徴とする請求項１乃至請求項２１のいずれかに記載の内視鏡用光コネクタ。
【請求項２３】
前記第１の保持部材側と前記第２の保持部材側との一方は、装置の差し込み口と、内視鏡のユニバーサルコードに配設され、前記差し込み口に差し込まれる接続コネクタとの一方に内蔵され、
前記第１の保持部材側と前記第２の保持部材側との他方は、前記差し込み口と前記接続コネクタとの他方に内蔵されていることを特徴とする請求項１乃至請求項２２のいずれかに記載の内視鏡用光コネクタ。
【手続補正２】
【補正対象書類名】明細書
【補正対象項目名】００２７
【補正方法】変更
【補正の内容】
【００２７】
［第１の交換部材３２０］  
図２Ａと図２Ｂとに示すように、第１の交換部材３２０の構成は、第１の保持部材３１０の構成と略同一であるため、詳細な説明は省略する。第１の導波路３１１に対応する導波路を第１の交換導波路３２１と称し、挿入口部３１３に対応する挿入口部を交換挿入口部３２３と称し、挿入口部３１５に対応する挿入口部を交換挿入口部３２５と称する。第１の交換部材３２０は、第１の導波路３１１と光学的に結合する第１の交換導波路３２１を第１の交換部材３２０の内部に保持することとなる。第１の交換導波路３２１は第１の導波路３１１と同数配設されており、交換挿入口部３２３は挿入口部３１３と同数配設されており、交換挿入口部３２５は挿入口部３１５と同数配設されている。
【手続補正３】
【補正対象書類名】明細書
【補正対象項目名】００４２
【補正方法】変更
【補正の内容】
【００４２】
第２の保持部材４１０の端面と同様に、第２の交換部材４２０の端面が第２の交換導波路４２１の端面と同一平面上に配設され、第２の交換部材４２０の端面と第２の交換導波路４２１の端面とが平滑されるように、第２の交換部材４２０が第２の交換導波路４２１を保持した状態で、第２の交換部材４２０の端面は第２の交換導波路４２１の端面と共に例えば研磨可能となっている。なお、この研磨は、光コネクタ２００の軸方向おける第２の交換部材４２０の両端面において可能である。この両端面は、第２の保持部材４１０の端面と当接する端面と、第１の交換部材３２０の端面と当接する端面とを有している。
【手続補正４】
【補正対象書類名】明細書
【補正対象項目名】００７１
【補正方法】変更
【補正の内容】
【００７１】
そして、第１の交換導波路３２１の端面を含む第１の交換部材３２０の端面が第２の交換導波路４２１を含む第２の交換部材４２０の端面と密着し、これら端面において封止状態が維持されるように、図示しない押圧機構は、光コネクタ２００の軸方向において、第１の保持部材３１０を第２の保持部材４１０に向かって押圧し、第２の保持部材４１０を第１の保持部材３１０に向かって押圧する。
【手続補正５】
【補正対象書類名】明細書
【補正対象項目名】００８７
【補正方法】変更
【補正の内容】
【００８７】
また本実施形態では、第１の取付部材３３０の基端部が第１の保持部材３１０に固定されている。このため本実施形態では、第１の爪部３３１を含む第１の取付部材３３０の位置ずれを防止でき、第１の交換部材３２０の端面の平面方向において互いに向かい合う力を確実に作用できる。
【手続補正６】
【補正対象書類名】明細書
【補正対象項目名】０１０１
【補正方法】変更
【補正の内容】
【０１０１】
また図３Ｂに示すように、第１の導波路３１１が第１の交換導波路３２１と光学的に結合している状態で、第１の交換導波路３２１が第２の交換導波路４２１と光学的に結合し、第２の交換導波路４２１が第２の導波路４１１と光学的に結合する際、交換挿入口部３２５を貫通している第１の位置決め部材５０１の先端部が交換挿入口部４２５を介して挿入口部４１５に挿入されるように、第１の位置決め部材５０１は挿入口部３１５と交換挿入口部３２５と挿入口部４１５と交換挿入口部４２５とに係合する。
【手続補正７】
【補正対象書類名】明細書
【補正対象項目名】０１１３
【補正方法】変更
【補正の内容】
【０１１３】
図５Ａと図５Ｂとに示すように、第１の実施形態とは異なり、位置決め機構５００は、挿入口部３１５と、挿入口部４１５と、交換挿入口部４２５と、挿入口部３１５と交換挿入口部４２５と挿入口部４１５とに係合する第１の位置決め部材５０１とを有している。